(57)【要約】【課題】カメラ付き携帯電話において取得された画像データに対して、画像処理の混雑状況を考慮して効率よく画像処理を施す。【解決手段】カメラ付き携帯電話１において取得した画像データＳ０を、カメラ付き携帯電話１の端末情報Ｔ０とともに画像サーバ２に送信する。画像サーバ２においては、画像処理の混雑状況が判定され、混雑していると判定されると、予め機種毎に算出された基準パラメータＰ１に基づいて画像データＳ０に画像処理を施す。混雑していないと判定されると、画像データＳ０から画像処理パラメータＰ０を算出し、これに基づいて画像データＳ０に画像処理を施す。【選択図】　　　　　図１
2004118561.tif 000002
【特許請求の範囲】
【請求項１】
撮影により画像データを取得する撮影手段と、データの送受信を行う通信手段と、種々の表示を行う表示手段とを備えた各種携帯端末装置から送信された画像データに対して画像処理を施して処理済み画像データを得る画像処理方法において、
前記画像処理の混雑状況に応じて、前記画像データを送信した携帯端末装置の端末情報を取得し、前記各種携帯端末装置に応じた画像処理を行うための基準パラメータを前記各種端末装置毎に記憶したデータベースを参照して、前記取得した端末情報に対応する対応基準パラメータを読み出し、該対応基準パラメータに基づく第１の画像処理を前記画像データに対して施すか、
前記送信された画像データに基づいて前記画像処理のための画像処理パラメータを算出し、該画像処理パラメータに基づく第２の画像処理を前記画像データに対して施すかを切り替えることを特徴とする画像処理方法。
【請求項２】
撮影により画像データを取得する撮影手段と、データの送受信を行う通信手段と、種々の表示を行う表示手段とを備えた各種携帯端末装置から送信された画像データに対して画像処理を施して処理済み画像データを得る画像処理方法において、
前記画像データを送信した携帯端末装置の端末情報を取得し、
前記各種携帯端末装置に応じた画像処理を行うための基準パラメータを前記各種端末装置毎に記憶したデータベースを参照して、前記取得した端末情報に対応する対応基準パラメータを読み出し、
該対応基準パラメータに基づいて前記画像データに対して前記画像処理を施すことを特徴とする画像処理方法。
【請求項３】
撮影により画像データを取得する撮影手段と、データの送受信を行う通信手段と、種々の表示を行う表示手段とを備えた各種携帯端末装置から送信された画像データに対して画像処理を施して処理済み画像データを得る画像処理装置において、
前記画像処理の混雑状況に応じて、前記画像データを送信した携帯端末装置の端末情報を取得し、前記各種携帯端末装置に応じた画像処理を行うための基準パラメータを前記各種端末装置毎に記憶したデータベースを参照して、前記取得した端末情報に対応する対応基準パラメータを読み出し、該対応基準パラメータに基づく第１の画像処理を前記画像データに対して施すか、前記送信された画像データに基づいて前記画像処理のための画像処理パラメータを算出し、該画像処理パラメータに基づく第２の画像処理を前記画像データに対して施すかを切り替える処理制御手段を備えたことを特徴とする画像処理装置。
【請求項４】
撮影により画像データを取得する撮影手段と、データの送受信を行う通信手段と、種々の表示を行う表示手段とを備えた各種携帯端末装置から送信された画像データに対して画像処理を施して処理済み画像データを得る画像処理装置において、
前記画像データを送信した携帯端末装置の端末情報を取得し、前記各種携帯端末装置に応じた画像処理を行うための基準パラメータを前記各種端末装置毎に記憶したデータベースを参照して、前記取得した端末情報に対応する対応基準パラメータを読み出し、該対応基準パラメータに基づいて前記画像データに対して前記画像処理を施す処理手段を備えたことを特徴とする画像処理装置。
【請求項５】
撮影により画像データを取得する撮影手段と、データの送受信を行う通信手段と、種々の表示を行う表示手段とを備えた各種携帯端末装置から送信された画像データに対して画像処理を施して処理済み画像データを得る画像処理方法をコンピュータに実行させるためのプログラムにおいて、
前記画像処理の混雑状況に応じて、前記画像データを送信した携帯端末装置の端末情報を取得し、前記各種携帯端末装置に応じた画像処理を行うための基準パラメータを前記各種端末装置毎に記憶したデータベースを参照して、前記取得した端末情報に対応する対応基準パラメータを読み出し、該対応基準パラメータに基づく第１の画像処理を前記画像データに対して施すか、
前記送信された画像データに基づいて前記画像処理のための画像処理パラメータを算出し、該画像処理パラメータに基づく第２の画像処理を前記画像データに対して施すかを切り替える手順を有するプログラム。
【請求項６】
撮影により画像データを取得する撮影手段と、データの送受信を行う通信手段と、種々の表示を行う表示手段とを備えた各種携帯端末装置から送信された画像データに対して画像処理を施して処理済み画像データを得る画像処理方法をコンピュータに実行させるためのプログラムにおいて、
前記画像データを送信した携帯端末装置の端末情報を取得する手順と、
前記各種携帯端末装置に応じた画像処理を行うための基準パラメータを前記各種端末装置毎に記憶したデータベースを参照して、前記取得した端末情報に対応する対応基準パラメータを読み出す手順と、
該対応基準パラメータに基づいて前記画像データに対して前記画像処理を施す手順とを有するプログラム。
【発明の詳細な説明】
【０００１】
【発明の属する技術分野】
本発明は、カメラ付き携帯電話等の携帯端末装置から送信された画像データに対して画像処理を施して処理済み画像データを得る画像処理方法および装置並びに画像処理方法をコンピュータに実行させるためのプログラムに関するものである。
【０００２】
【従来の技術】
携帯電話の普及には目覚ましいものがあるが、近年、撮影により画像データを取得する撮影手段を有するカメラ付き携帯電話が普及しつつある（例えば特開平６−２３３０２０号公報、同９−３２２１１４号公報、同１０−１５０５２３号公報、特開２０００−２５３２９０号公報等）。このようなカメラ付き携帯電話を用いることにより、撮影により取得した自分の好みの画像データを携帯電話の待ち受け画面に設定できる。また、撮影により取得した画像データを電子メールに添付して友人に送信することができるため、約束をキャンセルせざるを得ないような状況になったとき、あるいは待ち合わせ時刻に遅刻しそうなときに、申し訳なさそうな自分の表情を撮影して友人に送信する等、現在の自分の状況を友人に知らせることができることから、友人とのコミュニケーションを図るのに便利である。
【０００３】
また、カメラ付き携帯電話の機能が向上し、プリント出力を行うのに十分なサイズを有する画像データをカメラ付き携帯電話において取得することも可能となってきている。
【０００４】
一方、カメラ付き携帯電話において取得された画像データに対して、種々の画像処理を施して処理済み画像データを得たり、画像データをプリント出力したり、ネットワーク上にアップロードすることが行われている。これにより、ユーザは高画質の画像を取得したり、プリントを取得したり、ネットワーク上において画像を閲覧する等できるため、通信による画像データの利用形態の多様化を図ることができる。
【０００５】
このようなカメラ付き携帯電話において取得された画像データの利用は、画像データを撮像したカメラ付き携帯電話から、画像データの保管管理を行う画像サーバに画像データを送信し、画像サーバにおいて画像データに対して画像処理を施し、さらに画像データの保管場所を表すＵＲＬを付与した電子メールを生成し、この電子メールを画像データの送信先の携帯電話、パソコンやＰＤＡ等の端末装置、プリント出力を行うラボ等に送信し、電子メールの送信を受けた携帯電話、端末装置またはラボ等からＵＲＬを参照して画像データをダウンロードすることにより行われている。
【０００６】
【発明が解決しようとする課題】
上述した画像データに対する画像処理は、画像データに基づいて画像処理のための画像処理パラメータを算出し、この画像処理パラメータに基づくことにより行われる。しかしながら、送信された画像データに対してそれぞれ画像処理パラメータを算出して画像処理を施したのでは、１つの画像データに対する画像処理に時間がかかるものとなってしまう。とくに、画像サーバに対して大量の画像データに対する画像処理の依頼が集中した場合には、画像サーバの負荷が大きくなり、画像処理の遅延が生じてしまう。
【０００７】
本発明は上記事情に鑑みなされたものであり、画像処理の混雑状況を考慮して、効率よく画像データに対して画像処理を施すことを目的とする。
【０００８】
【課題を解決するための手段】
本発明による第１の画像処理方法は、撮影により画像データを取得する撮影手段と、データの送受信を行う通信手段と、種々の表示を行う表示手段とを備えた各種携帯端末装置から送信された画像データに対して画像処理を施して処理済み画像データを得る画像処理方法において、
前記画像処理の混雑状況に応じて、前記画像データを送信した携帯端末装置の端末情報を取得し、前記各種携帯端末装置に応じた画像処理を行うための基準パラメータを前記各種端末装置毎に記憶したデータベースを参照して、前記取得した端末情報に対応する対応基準パラメータを読み出し、該対応基準パラメータに基づく第１の画像処理を前記画像データに対して施すか、
前記送信された画像データに基づいて前記画像処理のための画像処理パラメータを算出し、該画像処理パラメータに基づく第２の画像処理を前記画像データに対して施すかを切り替えることを特徴とするものである。
【０００９】
「画像処理の混雑状況」としては、画像処理方法を実施する画像サーバへの単位時間あたりのアクセス数、画像サーバにおけるＣＰＵの稼働率等を用いることができる。また、特定の曜日や時間帯にアクセスが集中して画像処理が混雑することが予め分かっている場合がある。したがって、曜日や時間帯に応じて第１および第２の画像処理を切り替えるようにしてもよい。
【００１０】
「端末情報」としては、携帯端末装置の機種を表す情報のみならず製造メーカーを表す情報も含む。具体的には、機種を表す記号、電話番号、製造メーカ名等を用いることができる。
【００１１】
「基準パラメータ」は、携帯端末装置において取得された画像データに対して、携帯端末装置の機種や製造メーカーに適した画像処理を施すことが可能なパラメータをいう。基準パラメータは、例えば携帯端末装置の機種毎または製造メーカー毎に算出された画像処理パラメータを蓄積し、複数の画像処理パラメータの平均値を機種毎または製造メーカー毎に算出することにより取得できる。
【００１２】
本発明による第２の画像処理方法は、撮影により画像データを取得する撮影手段と、データの送受信を行う通信手段と、種々の表示を行う表示手段とを備えた各種携帯端末装置から送信された画像データに対して画像処理を施して処理済み画像データを得る画像処理方法において、
前記画像データを送信した携帯端末装置の端末情報を取得し、
前記各種携帯端末装置に応じた画像処理を行うための基準パラメータを前記各種端末装置毎に記憶したデータベースを参照して、前記取得した端末情報に対応する対応基準パラメータを読み出し、
該対応基準パラメータに基づいて前記画像データに対して前記画像処理を施すことを特徴とするものである。
【００１３】
本発明による第１の画像処理装置は、撮影により画像データを取得する撮影手段と、データの送受信を行う通信手段と、種々の表示を行う表示手段とを備えた各種携帯端末装置から送信された画像データに対して画像処理を施して処理済み画像データを得る画像処理装置において、
前記画像処理の混雑状況に応じて、前記画像データを送信した携帯端末装置の端末情報を取得し、前記各種携帯端末装置に応じた画像処理を行うための基準パラメータを前記各種端末装置毎に記憶したデータベースを参照して、前記取得した端末情報に対応する対応基準パラメータを読み出し、該対応基準パラメータに基づく第１の画像処理を前記画像データに対して施すか、前記送信された画像データに基づいて前記画像処理のための画像処理パラメータを算出し、該画像処理パラメータに基づく第２の画像処理を前記画像データに対して施すかを切り替える処理制御手段を備えたことを特徴とするものである。
【００１４】
本発明による第２の画像処理装置は、撮影により画像データを取得する撮影手段と、データの送受信を行う通信手段と、種々の表示を行う表示手段とを備えた各種携帯端末装置から送信された画像データに対して画像処理を施して処理済み画像データを得る画像処理装置において、
前記画像データを送信した携帯端末装置の端末情報を取得し、前記各種携帯端末装置に応じた画像処理を行うための基準パラメータを前記各種端末装置毎に記憶したデータベースを参照して、前記取得した端末情報に対応する対応基準パラメータを読み出し、該対応基準パラメータに基づいて前記画像データに対して前記画像処理を施す処理手段を備えたことを特徴とするものである。
【００１５】
なお、本発明による第１および第２の画像処理方法をコンピュータに実行させるためのプログラムとして提供してもよい。
【００１６】
【発明の効果】
本発明による第１の画像処理方法および装置によれば、画像処理の混雑状況に応じて、画像データに対して第１の画像処理を施すか、第２の画像処理を施すかが切り替えられる。ここで、第２の画像処理は、画像データに基づいて画像処理パラメータを算出するものであるため、画像処理に時間がかかる。これに対して、第１の画像処理は、画像データを送信した携帯端末装置の端末情報に基づいて、端末情報に対応する対応基準パラメータをデータベースから読み出して画像処理を行うものであるため、第２の画像処理と比較して画像処理を短時間で行うことができる。したがって、画像処理の混雑時には第１の画像処理を行うようにすることにより、画像処理装置の処理負荷を軽減して、効率よく画像処理を行うことができる。
【００１７】
また、第１の画像処理は、端末情報に対応した基準パラメータにより画像処理を行うものであるため、画像データを送信した携帯端末装置の機種に適した画像処理を画像データに対して施すことができる。
【００１８】
本発明による第２の画像処理方法および装置によれば、画像データを送信した携帯端末装置の端末情報が取得され、端末情報に対応する対応基準パラメータがデータベースから読み出され、対応基準パラメータに基づいて画像データに対して画像処理が施される。このため、画像データから画像処理パラメータを算出して画像処理を行う場合と比較して画像処理を短時間で行うことができる。したがって、画像処理装置の処理負荷を軽減して、効率よく画像処理を行うことができる。
【００１９】
【発明の実施の形態】
以下図面を参照して本発明の実施形態について説明する。図１は本発明の第１の実施形態による画像処理装置を備えた画像処理システムの構成を示す概略ブロック図である。図１に示すように本実施形態による画像処理システムは、カメラ付き携帯電話１と、カメラ付き携帯電話１において取得された画像データＳ０に対して画像処理を施す画像サーバ２との間でデータのやり取りを行うものである。
【００２０】
カメラ付き携帯電話１は、撮影により画像データＳ０を取得するカメラ１１と、携帯電話通信網を介した通信により画像データＳ０等の送受信を行う通信手段１２と、画像データＳ０等種々の情報を記憶するメモリ１３と、画像や電話番号等種々の表示を行う液晶モニタ１４と、カメラ付き携帯電話１を制御するコントローラ１５とを備える。
【００２１】
なお、カメラ１１による撮影の操作、画像データＳ０の送受信の指示等はカメラ付き携帯電話１に設けられた複数のボタンからなる入力手段１７により行われる。
【００２２】
これにより、カメラ付き携帯電話１のユーザは、カメラ１１を用いて撮影を行って画像データＳ０を取得し、取得された画像データＳ０を液晶モニタ１４に表示して待ち受け画面に設定したり、画像データＳ０を画像サーバ２に送信して画像処理を行ったり、取得された画像データＳ０を画像サーバ２経由で友人のカメラ付き携帯電話１へ送信したりすることができる。
【００２３】
なお、画像データＳ０の画像サーバ２への送信時には、カメラ付き携帯電話１の機種を表す端末情報Ｔ０も同時に送信される。
【００２４】
画像サーバ２は、画像データＳ０等、種々の情報の送受信を携帯電話通信網を介して行う通信手段２１と、画像データＳ０に対して画像処理を施して処理済み画像データＳ１を得る画像処理手段２２と、画像データＳ０に基づいて画像処理のための画像処理パラメータＰ０を算出するパラメータ算出手段２３と、カメラ付き携帯電話１に応じた画像処理を施すための基準パラメータＰ１を算出する基準パラメータ算出手段２４と、画像サーバ２における画像処理の混雑状況を判定する画像処理状況判定手段２５と、基準パラメータＰ１をカメラ付き携帯電話１の機種毎に記憶したデータベースＤＢ１や機種毎に分類された画像処理パラメータＰ０を保管する保管手段２６と、画像処理状況判定手段２５において判定された画像処理の混雑状況に応じて、画像処理手段２２へ入力するパラメータを、画像処理パラメータＰ０にするか端末情報Ｔ０に対応した対応基準パラメータＰ１′にするかを切り替える等、画像サーバ２の種々の制御を行う行うコントローラ２７とを備える。
【００２５】
画像処理手段２２は、濃度補正処理、ホワイトバランス調整処理、階調変換処理、色補正処理、シャープネス処理等の画像処理を画像データＳ０に対して施して処理済み画像データＳ１を得る。
【００２６】
パラメータ算出手段２３は、画像データＳ０に基づいて、濃度補正処理、ホワイトバランス調整処理、階調変換処理、色補正処理、シャープネス処理等、画像データＳ０に対して施す画像処理のための画像処理パラメータＰ０を算出する。
【００２７】
基準パラメータ算出手段２４は、保管手段２６に保管された機種毎に分類された画像処理パラメータＰ０の平均値を機種毎に算出することにより、カメラ付き携帯電話１の機種毎の基準パラメータＰ１を算出する。基準パラメータＰ１は、対応する機種のカメラ付き携帯電話１において取得された画像データＳ０に対して、最適な画像処理を施すことが可能な画像処理パラメータである。
【００２８】
なお、基準パラメータＰ１の算出は、保管手段２６に保管された機種毎の画像処理パラメータＰ０が一定数以上となったときに行われる。また、基準パラメータＰ１は、機種毎のみならず、カメラ付き携帯電話１の製造メーカー毎に算出してもよい。算出された基準パラメータＰ１は、機種毎の端末情報Ｔ０と対応付けられてデータベースＤＢ１に記憶される。
【００２９】
画像処理状況判定手段２５は、画像サーバ２へのアクセス数を所定のしきい値Ｔｈ１と比較し、アクセス数が所定のしきい値Ｔｈ１以上となったときに、画像処理が混雑していると判定し、アクセス数が所定のしきい値Ｔｈ１未満の場合には、画像処理は混雑していないと判定する。
【００３０】
なお、コントローラ２７を駆動するＣＰＵの稼働率を所定のしきい値Ｔｈ２と比較し、稼働率が所定のしきい値Ｔｈ２以上となったときに、画像処理が混雑していると判定し、稼働率が所定のしきい値Ｔｈ２未満の場合には、画像処理は混雑していないと判定するようにしてもよい。
【００３１】
また、画像サーバ２へのアクセスが集中する曜日や時間帯は予め分かっている場合が多い。このため、画像処理状況判定手段２５は、画像データＳ０に対する画像処理の指示があった曜日や時間帯が予め定められた混雑している曜日や時間帯である場合には画像処理が混雑していると判定し、それ以外の曜日や時間帯である場合には画像処理が混雑していないと判定するようにしてもよい。
【００３２】
コントローラ２７は、画像処理状況判定手段２５により画像処理が混雑していると判定された場合に、画像データＳ０とともに送信されたカメラ付き携帯電話１の端末情報Ｔ０に基づいて、データベースＤＢ１を参照して端末情報Ｔ０に対応する機種の基準パラメータＰ１を対応基準パラメータＰ１′として読み出して画像処理手段２２に入力する。
【００３３】
ここで、端末情報Ｔ０は、カメラ付き携帯電話１の機種を表す記号等を用いることができるが、電話番号に応じて機種が分かる場合もあるため、電話番号を端末情報Ｔ０として用いてもよい。
【００３４】
なお、画像処理状況判定手段２５により画像処理が混雑していないと判定された場合には、コントローラ２７は、画像データＳ０を画像処理パラメータ算出手段２３に入力し、画像処理パラメータ算出手段２３において画像データＳ０に基づいて算出された画像処理パラメータＰ０を画像処理手段２２に入力する。
【００３５】
次いで、第１の実施形態の動作について説明する。図２は第１の実施形態において行われる処理を示すフローチャートである。まず、カメラ付き携帯電話１において、カメラ１１を用いて撮影が行われ、画像データＳ０が取得される（ステップＳ１）。取得された画像データＳ０は通信手段１２により画像サーバ２に送信される（ステップＳ２）。この際、カメラ付き携帯電話１の機種を表す端末情報Ｔ０も同時に画像サーバ２に送信される。
【００３６】
送信された画像データＳ０は画像サーバ２の通信手段２１により受信される（ステップＳ３）。そして、画像処理状況判定手段２５により、画像処理の混雑状況が判定される（ステップＳ４）。混雑していると判定された場合には、画像データＳ０とともに送信されたカメラ付き携帯電話１の端末情報Ｔ０に基づいて、端末情報Ｔ０に対応する機種の対応基準パラメータＰ１′が保管手段２６に保管されたデータベースＤＢ１から読み出され（ステップＳ５）、画像処理手段２２において対応基準パラメータＰ１′に基づいて画像データＳ０に対して画像処理が施されて処理済み画像データＳ１が得られる（ステップＳ６）。
【００３７】
一方、画像処理が混雑していないと判定された場合には、パラメータ算出手段２３において画像データＳ０に基づいて画像処理パラメータＰ０が算出される（ステップＳ７）。そして、算出された画像処理パラメータＰ０に基づいて、画像処理手段２２において画像データＳ０に対して画像処理が施されて処理済み画像データＳ１が得られる（ステップＳ６）。処理済み画像データＳ１は通信手段２１によりカメラ付き携帯電話１に送信される（ステップＳ８）。
【００３８】
送信された処理済み画像データＳ１はカメラ付き携帯電話１の通信手段１２により受信され（ステップＳ９）、メモリ１３に記憶され（ステップＳ１０）、さらに液晶モニタ１４に表示され（ステップＳ１１）、処理を終了する。
【００３９】
このように、第１の実施形態によれば、画像処理の混雑状況に応じて、画像データＳ０に対して対応基準パラメータＰ１′に基づく画像処理を施すか、画像処理パラメータＰ０を算出して画像処理を施すかを切り替えるようにしたものである。ここで、画像データＳ０に基づいて画像処理パラメータＰ０を算出する場合、画像処理に時間がかかる。これに対して、基準パラメータＰ１に基づく画像処理は、画像データＳ０を送信したカメラ付き携帯電話１の端末情報Ｔ０に基づいて、端末情報Ｔ０に対応する機種の対応基準パラメータＰ１′をデータベースＤＢ１から読み出して画像処理を行うものであるため、画像処理パラメータＰ０を算出する場合と比較して画像処理を短時間で行うことができる。したがって、画像処理の混雑時には基準パラメータＰ１に基づく画像処理を行うようにすることにより、画像サーバ２の処理負荷を軽減し、画像データＳ０に対して効率よく画像処理を行うことができる。
【００４０】
また、端末情報Ｔ０に対応した対応基準パラメータＰ１′により画像処理を行っているため、画像データＳ０を取得したカメラ付き携帯電話１の機種に適した画像処理を行うことができる。
【００４１】
次いで、本発明の第２の実施形態について説明する。図３は、本発明の第２の実施形態による画像処理装置を備えた画像処理システムの構成を示す概略ブロック図。なお、第２の実施形態において第１の実施形態と同一の構成については同一の参照番号を付し、詳細な説明は省略する。
【００４２】
第２の実施形態においては、画像処理の混雑状況に拘わらず基準パラメータＰ１に基づいて画像データＳ０に対して画像処理を施すようにしたものである。このため、第２の実施形態においては、画像処理状況判定手段２５が省略されてなる。
【００４３】
次いで、第２の実施の形態の動作について説明する。図４は第２の実施形態において行われる処理を示すフローチャートである。まず、カメラ付き携帯電話１において、カメラ１１を用いて撮影が行われ、画像データＳ０が取得される（ステップＳ２１）。取得された画像データＳ０は通信手段１２により画像サーバ２に送信される（ステップＳ２２）。この際、カメラ付き携帯電話１の機種を表す端末情報Ｔ０も同時に画像サーバ２に送信される。
【００４４】
送信された画像データＳ０は画像サーバ２の通信手段２１により受信される（ステップＳ２３）。そして、画像データＳ０とともに送信されたカメラ付き携帯電話１の端末情報Ｔ０に基づいて、端末情報Ｔ０に対応する機種の対応基準パラメータＰ１′が保管手段２６に保管されたデータベースＤＢ１から読み出され（ステップＳ２４）、画像処理手段２２において対応基準パラメータＰ１′に基づいて画像データＳ０に対して画像処理が施されて処理済み画像データＳ１が得られる（ステップＳ２５）。処理済み画像データＳ１は通信手段２１によりカメラ付き携帯電話１に送信される（ステップＳ２６）。
【００４５】
送信された処理済み画像データＳ１はカメラ付き携帯電話１の通信手段１２により受信され（ステップＳ２７）、メモリ１３に記憶され（ステップＳ２８）、さらに液晶モニタ１４に表示され（ステップＳ２９）、処理を終了する。
【００４６】
このように、第２の実施形態においては、画像データＳ０に対して基準パラメータＰ１に基づいて画像処理を施すようにしたため、画像処理パラメータＰ０を算出する場合と比較して画像処理を短時間で行うことができる。したがって、画像サーバ２の処理負荷を軽減して、画像データＳ０に対して効率よく画像処理を行うことができる。
【００４７】
なお、上記第１および第２の実施形態においては、カメラ付き携帯電話１において取得された画像データに対して画像処理を施しているが、ＰＤＡ等の種々の携帯端末装置において取得された画像データに対しても同様に画像処理を施すことができる。
【図面の簡単な説明】
【図１】本発明の第１の実施形態による画像処理システムの構成を示す概略ブロック図
【図２】第１の実施形態において行われる処理を示すフローチャート
【図３】本発明の第２の実施形態による画像処理システムの構成を示す概略ブロック図
【図４】第２の実施形態において行われる処理を示すフローチャート
【符号の説明】
１　　カメラ付き携帯電話
２　　画像サーバ
１１　　カメラ
１２，２１　　通信手段
１３　　メモリ
１４　　液晶モニタ
１５，２７　　コントローラ
１７　　入力手段
２２　　画像処理手段
２３　　パラメータ算出手段
２４　　基準パラメータ算出手段
２５　　画像処理状況判定手段
２６　　保管手段
【図１】
2004118561.tif 000003
【図２】
2004118561.tif 000004
【図３】
2004118561.tif 000005
【図４】
2004118561.tif 000006